(57)【要約】      （修正有）【課題】生きた魚を確実につかむことができるようにして、利便性と安全性を有する魚挟み具を提供する。【解決手段】魚挟み具１として、支軸３によって互いに弾性的に開閉可能に連結した一対の挟み本体２ａ，２ｂのそれぞれの支軸３側を握り部５、先端側を挟持部６とし、その挟持部６の互いに対向する内側全面に多数の円錐状突起を線状に列設する。そして、円錐状突起は、挟持部６の外周縁に沿って列設する外周突起１０ａと、その内側の幅方向に列設する内側突起１０ｂとで構成すると共に、この外周突起１０ａの方が内側突起１０ｂよりその高さを高く設定する。また、挟み本体２ａ，２ｂの全面に、多数の透孔７を設ける。握り部５の内側面に発光体ホルダー９を設ける。【選択図】図１
0003191183.tif 000002
【実用新案登録請求の範囲】
【請求項１】
支軸によって互いに弾性的に開閉可能に連結した一対の挟み本体のそれぞれの支軸側を握り部、先端側を挟持部とし、その挟持部の互いに対向する内側全面に多数の円錐状突起を線状に列設したことを特徴とする魚挟み具。
【請求項２】
円錐状突起は、上記挟持部の外周縁に沿って列設する外周突起と、その内側の幅方向に列設する内側突起とからなり、外周突起の方が内側突起よりその高さを高く設定して設けた請求項１記載の魚挟み具。
【請求項３】
挟持部の先端端部に列設する円錐状突起は、その軸が先端側に向って傾斜して設けた請求項１または請求項２記載の魚挟み具。
【請求項４】
挟み本体の全面に、多数の透孔を設けた請求項１から請求項３のいずれか１項記載の魚挟み具。
【請求項５】
握り部の内側面に発光体ホルダーを設けた請求項１から請求項４のいずれか１項記載の魚挟み具。
【請求項６】
挟持部の側縁部に沿って、先端が鋭利なエッジ部を直線状に設けた請求項１から請求項５のいずれか１項記載の魚挟み具。
【考案の詳細な説明】
【技術分野】
【０００１】
この考案は、魚釣りなどにおいて、釣り上げた魚に直接手が触れないように、魚を挟んで掴むための魚挟み具に関するものである。
【背景技術】
【０００２】
近年、スポーツとして魚釣りを楽しむ人が増加しており、生きた魚の扱いに不慣れな人も多い。通常、釣った魚から釣り針を外す場合、素手で掴もうとするが、例えば、体の表面が分泌した粘液で覆われているような魚は、滑って掴みにくい。そのため、釣り針を外す際に、誤って指先などに釣り針が刺さって手が傷つくことがある。また、そのような粘液が手指につくと容易に落ちず、臭い等も気になることがある。
【０００３】
さらに、魚によっては、胸、腹、背などに鋭利なヒレを有するため、手指に傷を受けることもあり、また、ヒレやトゲに毒性を有する魚では、刺されて痛みやかゆみなどの傷害を受けることもある。
【０００４】
そのため、従来、各種の魚挟み具が用いられている。かかる魚挟み具によれば、釣り上げた魚を確実に保持することができ、手指を汚すことが無く、また、ヒレによる傷害を受けることも防止でき、安全性に富むものである。
【０００５】
そして、この種の魚挟み具としては、紙ばさみ状やトング状など種々の形状、構造のものが提案されており、広く利用されている。例えば特許文献１に示した魚バサミは、前後に延びる一対のハサミ本体が、その後端近傍において支軸によって開閉可能に連結されており、ハサミ本体の前方には挟持部を設け、後方には握り部を有している。
【先行技術文献】
【特許文献】
【０００６】
【特許文献１】特開２０１２−１３５２３８号公報
【考案の概要】
【考案が解決しようとする課題】
【０００７】
しかしながら、従来のこの種の魚挟み具では、挟持部において、長さ方向に多数の歯が列設されて魚を挟持しやすくしているが、この特許文献１に記載の魚バサミでは、歯は、側面視が三角形を呈し、それぞれがハサミ本体の後方に傾斜したものとなっている。このような歯の形状では、魚を挟持した際、ハサミの長手方向には歯が有効に機能して魚を確実に挟持することができるが、ハサミと直角の横方向では、歯の上端部が機能せず、魚が横方向に滑って逃げてしまうおそれがあった。
【０００８】
また、一部では、ハサミの長手方向に沿って、魚の挟持部分に多数の四角錐形状の歯を列設したものもある。しかし、この四角錐形状の歯の場合、四つの平坦面で形成されているので、魚を掴んだ際に、ウロコが剥がれ落ちると、その平坦面に密着して貼り付き、これが乾燥すると容易に取れないという不都合があった。
【０００９】
本考案は、かかる実情に鑑みて考案をしたものであって、生きた魚を確実につかむことができるようにして、利便性と安全性を有する魚挟み具を提供するものである。
【課題を解決するための手段】
【００１０】
上記課題を解決するため、本考案は、魚挟み具として、支軸によって互いに弾性的に開閉可能に連結した一対の挟み本体のそれぞれの支軸側を握り部、先端側を挟持部とし、その挟持部の互いに対向する内側全面に多数の円錐状突起を線状に列設するという手段を採用した。
【００１１】
挟持部の内側に列設した円錐状突起は、魚体を確実に挟持する。また、各突起は円錐状であるので、その表面が平面ではなく曲面で形成されることとなり、ウロコなどが貼り付いても容易に剥がすことができる。また、円錐状としたことで、その周面に均等に力が作用するので、魚の向きや大きさに関係なく、魚体の表面に均等に挟持力が作用する。
【００１２】
そして、上記円錐状突起は、上記挟持部の外周縁に沿って列設する外周突起と、その内側の幅方向に列設する内側突起とで構成すると共に、この外周突起の方が内側突起よりその高さを高く設定するという手段を採用した。
【００１３】
これにより、挟持部の内側全面に亘って広く円錐状突起が分布すると共に、その突起の頂点が形成する挟持面が凹状面となるので、丸みを帯びた魚体の表面形状と対応して、魚体を確実に挟持する。
【００１４】
また、挟持部の先端端部に列設する円錐状突起は、その軸が先端側に向って傾斜して設けるという手段を採用した。
【００１５】
これにより、挟持部を開いた状態から次第に閉じる際に、当該斜め外側方向に延びる円錐状突起が上向きに掬い上げるような角度で移動し、小型の魚でも確実に挟むことができる。
【００１６】
また、上記挟み本体の全面に、多数の透孔を設けるという手段を採用した。
【００１７】
この透孔により、全体の重量が軽量化すると共に、洗浄する際に、水の通過を良好にして、ウロコなどの付着物を洗浄しやすいようになる。
【００１８】
また、握り部の内側面に発光体ホルダーを設けるという手段を採用した。
【００１９】
この発光体ホルダーに収納した発光体の光が外側に漏出するので、夜釣りなどにおいて、魚挟み具の置き場所が容易に確認できる。
【００２０】
さらに、挟持部の側縁部に沿って、先端が鋭利なエッジ部を直線状に設けるという手段を採用した。
【００２１】
このエッジ部は、魚のウロコ取りとして機能する。
【考案の効果】
【００２２】
上記構成に係る本考案の魚挟み具は、挟持部の内側対向面に多数の円錐状突起を列設しているので、魚の向きや大きさに関係なく、魚体に対して挟持力が均等に作用して魚を確実に挟持できるものである。また、円錐状突起の表面は曲面であるので、貼り付いたウロコなどを剥がしやすい。さらに、外側の円錐状突起を高くすると共に、内側の円錐状突起をそれよりも低い高さとしたので、挟持部の内側面が丸みを帯びた魚体形状に対応する凹状面となり、魚を確実に挟持できる優れた考案である。また、挟持部の先端に列設する突起は、外側向きに傾斜しているので、地面に落ちた魚も容易に挟持できる。このように、魚を確実に挟持できるので、魚体の表面の粘液で手指を汚したり、臭いがつくことを確実に防止できる。さらに、ヒレなどで手指を傷つけることがないため、安全性に優れたものである。
【００２３】
また、全体に多数の透孔を設けているので、洗浄の際の水の通りが良くなると共に、挟持部の一部にエッジ部を設けることで、ウロコ取りとしても使用できる。さらに、握り部の内側に発光体ホルダーを設けたので、夜間でも、容易にその存在を把握できる。
【００２４】
このように、本考案に係る魚挟み具は、それぞれの部位を上述した構成としたので、従来にはない、多機能で利便性に優れると共に、安全性にも富む魚挟み具を提供するものである。
【図面の簡単な説明】
【００２５】
【図１】本考案に係る魚挟み具を開いた状態の説明斜視図である。
【図２】本考案に係る魚挟み具を閉じた状態の説明斜視図である。
【図３】本考案に係る魚挟み具を開いた状態の底面図である。
【図４】挟持部を内側からみた側面図である。
【考案を実施するための形態】
【００２６】
以下、本考案に係る魚挟み具の好ましい実施形態について、添付した図面に従って説明する。図１から図３、及び図４に示す魚挟み具１において、２（２ａ、２ｂ）は支軸３によって互いに回転可能に連結された一対の挟み本体で、内蔵するバネ（図示せず）によって、所定角度で弾性的に開閉可能としたものである。４はこの支軸３部分に設けられるロック部材で、長尺方向に押し込むとロックが解除されて挟み本体２（２ａ、２ｂ）が所定の角度だけ開き、引き出すと挟み本体２（２ａ、２ｂ）を閉じた状態でロックすることができる。なお、このロック部材４の具体的構成は従来公知のものを採用する。
【００２７】
この挟み本体２（２ａ、２ｂ）は、それぞれ、支軸３側を握り部５とし、先端側を魚を挟む挟持部６として形成し、握り部５はやや細い直線状として握りやすい形状とする一方、挟持部６はやや幅広として魚を確実に挟持できるようにしている。また、この握り部５及び挟持部６を通じて、挟み本体２の平面上には所望形状の多数の透孔７、７・・を設けている。この透孔７は、全体の重量を軽量化すると共に、洗浄する際に、水の通過を良好にして、ウロコなどの付着物を洗浄しやすいようにするためである。
【００２８】
さらに、図４に示すように、握り部５の対向する内側には長さ方向に補強用リブ８を設けると共に、そのリブ８の一部を凹部形状として、下述する発光体が収納可能な発光体ホルダー９を形成している。この発光体ホルダー９は、上記透孔７で外部と連通しており、収納した発光体の光が外側に漏出するようにしている。
【００２９】  この発光体ホルダー９には、例えば既存の化学的蛍光発光体（公序良俗違反につき、不掲載）や、蓄光顔料を練り込んだ発光体などの適宜な発光体（図示せず。）を収納することができる。この発光体は、本来は夜釣りなどにおいて、浮子の位置確認のために利用されるものであるが、これ応用する。このように発光体を収納しておけば、夜釣りなどにおいて、透孔７から発光体の光が漏れるので、この魚挟み具１の置き場所が容易に確認できて便利である。なお、発光体としてはこれに限定するものではなく、棒状のものであれば、例えば発光ダイオード（ＬＥＤ）を利用した発光体なども使用することができる。また、この発光体ホルダー９は、浮子に使用する発光体のスペアの収納場所として利用することもできる。
【００３０】
次に、上記挟持部６の互いに対向する内側面には、それぞれ、多数の円錐状突起１０、１０・・を線状に列設してる（図４参照）。この円錐状突起１０は、挟持部６の外周縁に沿って列設する外周突起１０ａと、その内側の幅方向に列設する内側突起１０ｂとからなり、この実施形態では、外周突起１０ａの方が内側突起１０ｂより、その高さを高く設定して設けている。これにより、挟持部６の内側全面に亘って広く円錐状突起１０が分布すると共に、その突起の頂点が形成する挟持面が凹状面となるので、丸みを帯びた魚体の表面形状と対応して、魚体を確実に挟持することができる。なお、各突起の形状を円錐状としたのは、従来の突起が四角錐状であって、ウロコなどが貼り付いて容易に取れないという不都合を排除するためであり、円錐状としたことによって突起の周面全てが曲面で形成されるため、ウロコなどが貼り付きにくくなるからである。また、円錐状としたことで、その周面に均等に力が作用するので、魚の向きや大きさに関係なく、魚体の表面に均等に挟持力が作用し、魚を逃がすことなく、確実に挟持できる。
【００３１】
また、挟持部６の先端端部６ａに列設（図では二列）する円錐状突起１０ｃは、その軸を外側に向って斜め方向に傾斜して設けている（図３、図４参照）。これは、地面上の魚を掴み上げる場合に、挟持部６を開いた状態から次第に閉じる際に、当該斜め外側方向に延びる円錐状突起１０ｃが上向きに掬い上げるような角度で移動するため、小型の魚であっても、確実に挟むことができるようにしたものである。
【００３２】
また、挟持部６の下側の側縁部に沿って、ほぼ直線状で先端が鋭利なエッジ部１１を設けている。このエッジ部１１は、釣り上げた魚のウロコ取りとして機能するものである。
【００３３】
上述したように、本考案に係る魚挟み具は、挟持部の内側対向面に多数の円錐状突起を列設し、さらに、その外側の円錐状突起を高くすると共に、内側の円錐状突起をそれよりも低い高さとしたので、挟持部の内側面が丸みを帯びた魚体形状に対応する凹状面となり、魚を確実に挟持できる優れた考案である。また、挟持部の先端に列設する突起は、外側向きに傾斜しているので、地面に落ちた魚も容易に挟持できる。この場合、各突起の形状を円錐状としているので、魚の向きや大きさに関係なく、均等に挟持力が作用し、魚を取り落とすことがない。
【００３４】
また、全体に多数の透孔を設けて、洗浄の際の水の通りを良くすると共に、挟持部の一部にエッジ部を設けることで、ウロコ取りとしても使用できる。さらに、握り部の内側に発光体ホルダーを設けたので、夜間でも、容易にその存在を把握できる。
【００３５】
このように、本考案に係る魚挟み具は、それぞれの部位を上述した構成としたので、従来にはない、多機能で利便性に優れた魚挟み具を提供するものである。
【符号の説明】
【００３６】
１    魚挟み具
２（２ａ、２ｂ）  挟み本体
３    支軸
４    ロック部材
５    握り部
６    挟持部
６ａ  先端端部
７    透孔
８    リブ
９    発光体ホルダー
１０（１０ａ、１０ｂ、１０ｃ）  円錐状突起
１１    エッジ部
【図１】
0003191183.tif 000003
【図２】
0003191183.tif 000004
【図３】
0003191183.tif 000005
【図４】
0003191183.tif 000006
【手続補正書】
【提出日】平成26年4月23日(2014.4.23)
【手続補正１】
【補正対象書類名】明細書
【補正対象項目名】００２９
【補正方法】変更
【補正の内容】
【００２９】
この発光体ホルダー９には、例えば既存の化学的蛍光発光体や、蓄光顔料を練り込んだ発光体などの適宜な発光体（図示せず。）を収納することができる。この発光体は、本来は夜釣りなどにおいて、浮子の位置確認のために利用されるものであるが、これ応用する。このように発光体を収納しておけば、夜釣りなどにおいて、透孔７から発光体の光が漏れるので、この魚挟み具１の置き場所が容易に確認できて便利である。なお、発光体としてはこれに限定するものではなく、棒状のものであれば、例えば発光ダイオード（ＬＥＤ）を利用した発光体なども使用することができる。また、この発光体ホルダー９は、浮子に使用する発光体のスペアの収納場所として利用することもできる。